(57)【要約】【課題】パネルを保護することのできる新規な構成の電子機器を得る。【解決手段】電子機器１は、表示装置６と、表示装置６の周縁部６ｂ（縁部）を覆うフロントカバー３１（第一カバー）を有したディスプレイ筐体３（筐体）と、フロントカバー３１の表示装置６とは反対側の前面３ａ１（第一面）に支持されるとともに表示装置６を覆うタッチパネル９（パネル）と、前面３ａ１と接合され、タッチパネル９の表面９ａと交差した端面９ｃ（第一端面）と面するとともに当該端面９ｃに沿って延び、かつ表面９ａよりも突出した弾性体１１と、を備える。【選択図】図５
2020115255.tif 000002
【特許請求の範囲】
【請求項１】
表示装置と、
前記表示装置の縁部を覆う第一カバーを有した筐体と、
前記第一カバーの前記表示装置とは反対側の第一面に支持されるとともに前記表示装置を覆うパネルと、
前記第一面と接合され、前記パネルの表面と交差した第一端面と面するとともに当該第一端面に沿って延び、かつ前記表面よりも突出した弾性体と、
を備えた、電子機器。
【請求項２】
前記弾性体は、前記第一カバーにおける前記第一面と交差した第二端面とさらに接合された、請求項１に記載の電子機器。
【請求項３】
前記筐体は、前記表示装置の前記パネルとは反対側を覆う第二カバーを有し、
前記弾性体は、前記第二カバーよりも前記第一端面とは反対側に張り出す突出部を有した、請求項１または２に記載の電子機器。
【請求項４】
前記第一面には、前記弾性体と隣接し当該第一面と交差した第一方向に開放された凹部が設けられ、
前記凹部は、前記第一方向から見た場合に前記パネルと重なって位置された、請求項１〜３のうちいずれか一つに記載の電子機器。
【請求項５】
前記弾性体は、前記第一面から離れるにつれて前記第一端面から遠ざかるように傾斜した傾斜面を有し、
前記傾斜面の一部は、前記第一面と交差した第一方向から見た場合に前記パネルと重なって位置された、請求項１〜４のうちいずれか一つに記載の電子機器。
【発明の詳細な説明】
【技術分野】
【０００１】
本発明は、電子機器に関する。
【背景技術】
【０００２】
従来、表示装置と、表示装置の縁部を覆うカバーを有した筐体と、カバーの表示装置とは反対側の面に支持されるとともに表示装置を覆うパネルとを備えた、電子機器が知られている（例えば、特許文献１参照）。
【先行技術文献】
【特許文献】
【０００３】
【特許文献１】特開２０１８−１０９９１４号公報
【発明の概要】
【発明が解決しようとする課題】
【０００４】
この種の電子機器では、例えば、パネルを保護することのできる新規な構成が得られれば、有益である。
【０００５】
そこで、本発明の課題の一つは、パネルを保護することのできる新規な構成の電子機器を得ることである。
【課題を解決するための手段】
【０００６】
本発明の第一態様にかかる電子機器は、表示装置と、前記表示装置の縁部を覆う第一カバーを有した筐体と、前記第一カバーの前記表示装置とは反対側の第一面に支持されるとともに前記表示装置を覆うパネルと、前記第一面と接合され、前記パネルの表面と交差した第一端面と面するとともに当該第一端面に沿って延び、かつ前記表面よりも突出した弾性体と、を備える。
【０００７】
また、前記弾性体は、前記第一カバーにおける前記第一面と交差した第二端面とさらに接合される。
【０００８】
また、前記筐体は、前記表示装置の前記パネルとは反対側を覆う第二カバーを有し、前記弾性体は、前記第二カバーよりも前記第一端面とは反対側に張り出す突出部を有している。
【０００９】
また、前記第一面には、前記弾性体と隣接し当該第一面と交差した第一方向に開放された凹部が設けられ、前記凹部は、前記第一方向から見た場合に前記パネルと重なって位置される。
【００１０】
また、前記弾性体は、前記第一面から離れるにつれて前記第一端面から遠ざかるように傾斜した傾斜面を有し、前記傾斜面の一部は、前記第一面と交差した第一方向から見た場合に前記パネルと重なって位置される。
【発明の効果】
【００１１】
本発明の上記態様によれば、パネルを保護することのできる新規な構成の電子機器を得ることができる。
【図面の簡単な説明】
【００１２】
【図１】図１は、実施形態の電子機器の正面側からの例示的な斜視図であって、ディスプレイ筐体が閉位置に位置された状態の図である。
【図２】図２は、実施形態の電子機器の正面側からの例示的な斜視図であって、ディスプレイ筐体が第一展開位置に位置された状態の図である。
【図３】図３は、実施形態の電子機器の背面側からの例示的な斜視図であって、ディスプレイ筐体が第二展開位置に位置された状態の図である。
【図４】図４は、実施形態の電子機器の背面側からの例示的な斜視図であって、ディスプレイ筐体が第三展開位置に位置された状態の図である。
【図５】図５は、図４のV−V断面図である。
【図６】図６は、第１変形例の電子機器の例示的な断面図である。
【図７】図７は、第２変形例の電子機器の例示的な断面図である。
【発明を実施するための形態】
【００１３】
以下、本発明の例示的な実施形態および変形例が開示される。以下に示される実施形態および変形例の構成、ならびに当該構成によってもたらされる作用および効果は、一例である。本発明は、以下の実施形態および変形例に開示される構成以外によっても実現可能である。また、本発明によれば、構成によって得られる種々の効果（派生的な効果も含む）のうち少なくとも一つを得ることが可能である。
【００１４】
また、以下に開示される実施形態および変形例には、同様の構成要素が含まれる。よって、以下では、それら同様の構成要素には共通の符号が付与されるとともに、重複する説明が省略される。なお、本明細書では、序数は、部品や、部材、部位、位置、方向等を区別するためだけに用いられており、順番や優先度を示すものではない。
【００１５】
［実施形態］
図１は、電子機器１の正面側からの斜視図であって、ディスプレイ筐体３が閉位置Ｐ０に位置された状態の図である。図２は、電子機器１の正面側からの斜視図であって、ディスプレイ筐体３が第一展開位置Ｐ１に位置された状態の図である。
【００１６】
図１，２に示されるように、電子機器１は、例えば、クラムシェル型（ノートブック型）のパーソナルコンピュータとして構成されており、ベース筐体２と、ディスプレイ筐体３と、を備えている。ベース筐体２には、キーボード４（入力装置）や、不図示の基板等が収容され、ディスプレイ筐体３には、アンテナ５や、表示装置６等が収容されている。ディスプレイ筐体３は、筐体の一例である。なお、電子機器１は、この例には限定されず、例えば、タブレット型のパーソナルコンピュータや、スマートフォン、携帯電話、ゲーム機等であってもよい。
【００１７】
以下の説明では、便宜上、互いに直交する三方向が定義されている。Ｘ方向は、ベース筐体２の奥行（前後方向）に沿い、Ｙ方向は、ベース筐体２の幅（左右方向、長手方向）に沿い、Ｚ方向は、ベース筐体２の厚さ（上下方向）に沿う。また、以下の説明では、Ｘ方向は後方、Ｘ方向の反対方向は前方とも称され、Ｙ方向は左方、Ｙ方向の反対方向は右方とも称され、Ｚ方向は上方、Ｚ方向の反対方向は下方とも称される場合がある。
【００１８】
ベース筐体２は、例えば、キーボード４が露出する上面２ａ１と、上面２ａ１とは反対側の下面２ｂ１と、を有する。キーボード４は、上方から操作可能な状態に、ベース筐体２に支持されている。また、ベース筐体２内には、ＣＰＵ（Central  Processing  Unit）や、ＲＯＭ（Read  Only  Memory）、ＲＡＭ（Random  Access  Memory）等の複数の電子部品が実装された基板が設けられている。基板内の配線とこれら複数の電子部品とによって、電子機器１の制御回路の少なくとも一部が構成されている。
【００１９】
ディスプレイ筐体３は、例えば、表示装置６の表示画面６ａ（図５参照）が露出する前面３ａ１と、前面３ａ１とは反対側の後面３ｂ１と、を有する。表示装置６は、表示画面６ａが前方から視認可能な状態に、ディスプレイ筐体３に支持されている。また、前面３ａ１の一部および表示画面６ａは、後述する表示ユニット１０のタッチパネル９によって覆われている。
【００２０】
アンテナ５は、例えば、ディスプレイ筐体３の上端部３ｊ側の左右に設けられている。アンテナ５は、それぞれケーブルを介して、基板の通信チップと電気的に接続されている。アンテナ５は、ダイバーシティアンテナの一例である。本実施形態によれば、複数のアンテナ５で受信した同一の無線信号について、電波状況の優れたアンテナ５の信号を優先的に用いたり、受信した信号を合成してノイズを除去したりすることによって、通信の質や信頼性の向上を図ることができる。なお、アンテナ５は、この例には限定されず、例えば、上端部３ｊ側の中央部や、左右の一方のみに設けられてもよい。
【００２１】
図３は、電子機器１の背面側からの斜視図であって、ディスプレイ筐体３が第二展開位置Ｐ２に位置された状態の図である。図４は、電子機器１の背面側からの斜視図であって、ディスプレイ筐体３が第三展開位置Ｐ３に位置された状態の図である。本実施形態では、電子機器１は、図２に示されるノートブックモードや、図３に示されるテントモード（スタンドモード）、図４に示されるスレートモード（タブレットモード）等、複数のモードで使用可能に構成されている。
【００２２】
具体的には、ディスプレイ筐体３は、ベース筐体２にＹ方向に沿って延びる二つの回転中心Ａｘ１，Ａｘ２（回転軸）を有したヒンジ７を介して回転可能に支持されている。ディスプレイ筐体３は、ヒンジ７の回転中心Ａｘ１，Ａｘ２回りに回転することで、閉位置Ｐ０（図１）と、第一展開位置Ｐ１（図２）と、第二展開位置Ｐ２（図３）と、第三展開位置Ｐ３（図４）と、の間で移動可能である。
【００２３】
図１に示されるように、ディスプレイ筐体３が閉位置Ｐ０に位置された状態では、ベース筐体２の上面２ａ１およびキーボード４と、ディスプレイ筐体３の前面３ａ１および表示装置６の表示画面６ａとが対向する。よって、閉位置Ｐ０では、キーボード４やタッチパネル９等は、ベース筐体２およびディスプレイ筐体３によって隠れるため、操作不能である。閉位置Ｐ０は、初期位置や、第一折り畳み位置等とも称される。
【００２４】
図２に示されるように、ディスプレイ筐体３が第一展開位置Ｐ１に位置された状態では、上面２ａ１およびキーボード４と、前面３ａ１および表示画面６ａとが対向せず、上面２ａ１、キーボード４、前面３ａ１、および表示画面６ａが露出する。第一展開位置Ｐ１におけるディスプレイ筐体３のベース筐体２に対する回転角度は、例えば、９０°〜１７０°である。第一展開位置Ｐ１では、所謂ノートブックモードとして使用され、ベース筐体２が不図示の机や台等の載置部に載せられた状態でキーボード４によって操作が行われる。第一展開位置Ｐ１は、第一使用位置等とも称される。
【００２５】
図３に示されるように、ディスプレイ筐体３が第二展開位置Ｐ２に位置された状態では、上面２ａ１およびキーボード４と、前面３ａ１および表示画面６ａとが互いに反対側を向く。第二展開位置Ｐ２におけるディスプレイ筐体３のベース筐体２に対する回転角度は、例えば、２７０°〜３５０°である。第二展開位置Ｐ２では、所謂テントモード（スタンドモード）として使用され、ベース筐体２およびディスプレイ筐体３が不図示の載置部に立てられた状態でタッチパネル９によって操作が行われる。第二展開位置Ｐ２は、第二使用位置等とも称される。
【００２６】
また、図４に示されるように、ディスプレイ筐体３が第三展開位置Ｐ３に位置された状態においても、上面２ａ１およびキーボード４と、前面３ａ１および表示画面６ａとが互いに反対側を向く。第三展開位置Ｐ３におけるディスプレイ筐体３のベース筐体２に対する回転角度は、３６０°である。第三展開位置Ｐ３では、所謂スレートモード（タブレットモード）として使用され、ベース筐体２が不図示の載置部に載せられた状態あるいはベース筐体２が載置部から持ち上げられた状態でタッチパネル９によって操作が行われる。
【００２７】
なお、第三展開位置Ｐ３は、この例には限定されず、例えば、互いに交差（直交）する二つの回転中心を有したヒンジによって、ベース筐体２の上面２ａ１（図２参照）側でディスプレイ筐体３の表示画面６ａが上面２ａ１とは反対側を向くように重ねられてもよい。第三展開位置Ｐ３は、第三使用位置や、第二折り畳み位置等とも称される。
【００２８】
図２に示されるように、ベース筐体２は、例えば、Ｚ方向に扁平な直方体状の箱型に構成されている。ベース筐体２は、上壁２ａや、下壁２ｂ、前壁２ｃ、左壁２ｄ、後壁２ｅ、右壁２ｆ等の複数の壁部を有している。前壁２ｃ、左壁２ｄ、後壁２ｅ、および右壁２ｆは、側壁や、周壁、立壁等とも称される。
【００２９】
上壁２ａおよび下壁２ｂは、いずれも、Ｚ方向と直交する方向（ＸＹ平面）に沿って延びており、Ｚ方向に間隔をあけて互いに平行に設けられている。上壁２ａは、上面２ａ１を含み、下壁２ｂは、下面２ｂ１を含む。下面２ｂ１には、ベース筐体２を不図示の載置部から離間した状態に支持する複数の支持部２ｐ（図３参照）が設けられている。支持部２ｐは、脚やゴム脚等とも称される。
【００３０】
前壁２ｃおよび後壁２ｅは、いずれも、Ｘ方向と直交する方向（ＹＺ平面）に沿って延びており、Ｘ方向に間隔をあけて互いに平行に設けられている。前壁２ｃおよび後壁２ｅは、それぞれ、ベース筐体２の前端部２ｈおよび後端部２ｊを構成している。前端部２ｈは、ヒンジ７の回転中心Ａｘ１，Ａｘ２と離間している。後端部２ｊは、前端部２ｈよりもヒンジ７の回転中心Ａｘ１，Ａｘ２と隣接（近接）している。
【００３１】
左壁２ｄおよび右壁２ｆは、いずれも、Ｙ方向と直交する方向（ＸＺ平面）に沿って延びており、Ｙ方向に間隔をあけて互いに平行に設けられている。左壁２ｄは、上壁２ａおよび下壁２ｂのＹ方向の端部の間に亘り、右壁２ｆは、上壁２ａおよび下壁２ｂのＹ方向の反対方向の端部の間に亘っている。左壁２ｄおよび右壁２ｆは、それぞれ、ベース筐体２の左端部２ｉおよび右端部２ｋを構成している。
【００３２】
また、ベース筐体２は、複数の部品（分割体）が組み合わせられて構成されている。具体的には、ベース筐体２は、例えば、トップカバー２１と、ボトムカバー２２と、を有している。トップカバー２１は、上壁２ａと、前壁２ｃ、左壁２ｄ、後壁２ｅ、および右壁２ｆのそれぞれの一部と、を含む。ボトムカバー２２は、下壁２ｂと、前壁２ｃ、左壁２ｄ、後壁２ｅ、および右壁２ｆのそれぞれの一部と、を含む。トップカバー２１とボトムカバー２２とは、爪やネジ等によって互いに結合されている。
【００３３】
図２に示されるように、ディスプレイ筐体３は、例えば、一方向（図２ではＸ方向）に扁平な直方体状に構成されている。ディスプレイ筐体３は、前壁３ａや、後壁３ｂ、複数の側壁３ｃ〜３ｆ等を有している。前壁３ａは、前面３ａ１を含み、後壁３ｂは、後面３ｂ１を含む。前壁３ａは、四角形状の枠状に構成され、後壁３ｂは、四角形状の板状に構成されている。
【００３４】
側壁３ｃおよび側壁３ｅは、それぞれ、ディスプレイ筐体３の下端部３ｈおよび上端部３ｊを構成している。下端部３ｈは、ヒンジ７の回転中心Ａｘ１，Ａｘ２と隣接（近接）している。上端部３ｊは、下端部３ｈよりもヒンジ７の回転中心Ａｘ１，Ａｘ２と離間している。また、側壁３ｄおよび側壁３ｆは、それぞれ、ディスプレイ筐体３の左端部３ｉおよび右端部３ｋを構成している。
【００３５】
また、ディスプレイ筐体３には、四つの角部３ｍ〜３ｐが設けられている。角部３ｍは、左端部３ｉと上端部３ｊとの交差部によって構成され、角部３ｎは、上端部３ｊと右端部３ｋとの交差部によって構成されている。また、角部３ｏは、右端部３ｋと下端部３ｈとの交差部によって構成され、角部３ｐは、下端部３ｈと左端部３ｉとの交差部によって構成されている。各角部３ｍ〜３ｐは、角丸（角Ｒ）状に構成されている。
【００３６】
また、ディスプレイ筐体３は、複数の部品（分割体）が組み合わせられて構成されている。具体的には、ディスプレイ筐体３は、例えば、フロントカバー３１と、リヤカバー３２と、を有している。フロントカバー３１は、前壁３ａと、側壁３ｃ〜３ｆのそれぞれの一部と、を含む。リヤカバー３２は、後壁３ｂと、側壁３ｃ〜３ｆのそれぞれの一部と、を含む。フロントカバー３１とリヤカバー３２とは、爪やネジ等によって互いに結合されている。
【００３７】
次に、表示ユニット１０についてより詳しく説明する。図５は、図４のV−V断面図である。図５に示されるように、表示ユニット１０は、例えば、表示装置６と、フロントカバー３１と、タッチパネル９と、弾性体１１と、を備えている。表示装置６、フロントカバー３１、およびタッチパネル９は、接着剤や両面テープ等によって互いに結合（一体化）されている。
【００３８】
表示装置６は、例えば、液晶ディスプレイ（ＬＣＤ，liquid  crystal  display）である。表示装置６は、前面３ａ１と交差したＤ１方向に扁平な直方体状に構成されている。表示装置６の表示画面６ａは、タッチパネル９の透明部によって覆われている。なお、表示装置６は、この例には限定されず、例えば、有機ＥＬディスプレイ（ＯＥＬＤ，organic  electro-luminescent  display）等であってもよい。また、タッチパネル９は、例えば、表示装置６内に組み込まれた所謂インセルタッチパネルとして構成されてもよい。
【００３９】
フロントカバー３１は、表示装置６の周縁部６ｂを覆う四角形状の枠状に構成されている。フロントカバー３１の前面３ａ１には、タッチパネル９が支持されている。フロントカバー３１は、第一カバーの一例であり、前面３ａ１は、第一面の一例である。また、周縁部６ｂは、縁部の一例である。フロントカバー３１は、合成樹脂材料によって構成されている。
【００４０】
タッチパネル９は、表示装置６を覆う四角形状の薄板状に構成されている。タッチパネル９は、例えば、ガラス層や、センサ層、保護フィルム層等のＤ１方向に積層された複数の層を有している。タッチパネル９は、パネルの一例である。なお、パネルは、この例には限定されず、例えば、ガラスパネルや、アクリルパネル等であってもよい。
【００４１】
また、タッチパネル９は、表面９ａと、裏面９ｂと、複数の端面９ｃと、を有している。端面９ｃは、表面９ａと交差し、表面９ａと裏面９ｂとの間に亘っている。本実施形態では、四つの端面９ｃのうちの三つが、弾性体１１と間隔をあけて面している。端面９ｃは、第一端面の一例である。
【００４２】
弾性体１１は、例えば、タッチパネル９におけるフロントカバー３１の左端部３ｉ、上端部３ｊ（図２参照）、および右端部３ｋに対応した三つの端面９ｃに沿って設けられている。すなわち、弾性体１１は、全体としては、下端部３ｈ（ヒンジ７）に向けて開放された略Ｕ字状に構成されている。弾性体１１は、タッチパネル９の三つの端面９ｃの周囲を覆っている。なお、弾性体１１は、例えば、左端部３ｉ、上端部３ｊ、右端部３ｋに加え下端部３ｈに対応した四つの端面９ｃの周囲を囲ってもよい。
【００４３】
弾性体１１は、例えば、エラストマやゴム等によって構成されている。本実施形態では、弾性体１１は、二材成形（二色成形）等によってフロントカバー３１の前面３ａ１と接合（一体化）されている。これにより、弾性体１１およびフロントカバー３１の接合面は、互いに融合している。
【００４４】
また、弾性体１１は、タッチパネル９の表面９ａよりもＤ１方向、すなわち後壁３ｂの内面から離れる方向に突出している。これにより、ディスプレイ筐体３が閉位置Ｐ０（図１参照）に位置された状態において、タッチパネル９とベース筐体２とが接触するのを防止している。
【００４５】
また、弾性体１１は、傾斜面１１ａを有している。傾斜面１１ａは、タッチパネル９の端面９ｃと面し、前面３ａ１から離れるにつれて端面９ｃから遠ざかるように傾斜している。本実施形態では、傾斜面１１ａの前面３ａ１側の端部は、Ｄ１方向から見た場合にタッチパネル９と重なって位置されている。これにより、弾性体１１とタッチパネル９との間の隙間１８が目立ち難くなっている。
【００４６】
また、本実施形態では、フロントカバー３１の外縁部には、Ｄ１方向およびその反対方向に突出した立壁３１ａが設けられている。立壁３１ａは、ディスプレイ筐体３の側壁３ｄ等の一部（内側部分）を構成している。そして、弾性体１１は、立壁３１ａの一端部３１ａ１の周囲を覆っている。すなわち、弾性体１１は、立壁３１ａに向けて開放された略Ｕ字状に構成され、立壁３１ａにおける外側の端面３１ｂとも接合されている。端面３１ｂは、第二端面の一例である。
【００４７】
また、弾性体１１は、リヤカバー３２の側壁３ｄ（外側部分）の端面とＤ１方向に並んでいる。本実施形態では、例えば、電子機器１が側壁３ｄを下に落下した場合に、衝撃が弾性体１１から立壁３１ａの一端部３１ａ１に伝達されるとともに、立壁３１ａの他端部３１ａ２を経由してリヤカバー３２のリブ３ｘに伝達されるよう、構成されている。これにより、弾性体１１からタッチパネル９に伝達される衝撃が低減されている。
【００４８】
また、前面３ａ１には、Ｄ１方向に開放された凹部３１ｒが設けられている。凹部３１ｒは、弾性体１１と隣接し、弾性体１１の長手方向、すなわち端面９ｃに沿って延びている。凹部３１ｒは、例えば、弾性体１１とフロントカバー３１との二材成形時のバリを収容することができる。本実施形態では、凹部３１ｒの少なくとも一部は、Ｄ１方向から見た場合にタッチパネル９と重なって位置されている。
【００４９】
以上のように、本実施形態では、電子機器１は、表示装置６と、表示装置６の周縁部６ｂ（縁部）を覆うフロントカバー３１（第一カバー）を有したディスプレイ筐体３（筐体）と、フロントカバー３１の表示装置６とは反対側の前面３ａ１（第一面）に支持されるとともに表示装置６を覆うタッチパネル９（パネル）と、前面３ａ１と接合され、タッチパネル９の表面９ａと交差した端面９ｃ（第一端面）と面するとともに当該端面９ｃに沿って延び、かつ表面９ａよりも突出した弾性体１１と、を備える。
【００５０】
このような構成によれば、例えば、電子機器１が閉位置Ｐ０（図１参照）に位置された場合に、弾性体１１によってタッチパネル９とベース筐体２との接触を防止し、当該タッチパネル９を保護することができる。また、例えば、電子機器１が側壁３ｄを下に落下した場合等に、弾性体１１が衝撃吸収部として機能し、ひいてはタッチパネル９に伝わる衝撃を低減することができる。また、例えば、弾性体１１がフロントカバー３１に両面テープによって貼り付けられた場合と比べて、二材成形（二色成形）の方が弾性体１１とフロントカバー３１との接合強度がより高まりやすい。よって、例えば、弾性体１１に衝撃等の荷重が入力された場合に、弾性体１１がフロントカバー３１に対してずれたり外れたりするのが抑制され、ひいてはタッチパネル９がよりしっかりとあるいはより確実に保護されやすい。
【００５１】
また、本実施形態では、弾性体１１は、フロントカバー３１における前面３ａ１と交差した端面３１ｂ（第二端面）とさらに接合される。
【００５２】
このような構成によれば、例えば、弾性体１１がフロントカバー３１の前面３ａ１のみと接合された場合と比べて、弾性体１１とフロントカバー３１との接合強度がより一層高まりやすい。よって、例えば、弾性体１１に衝撃等の荷重が入力された場合に、弾性体１１がフロントカバー３１に対してずれたり外れたりするのがより一層抑制されやすい。また、例えば、電子機器１が側壁３ｄを下に落下した場合に、弾性体１１によって端面３１ｂを保護することができる。
【００５３】
また、本実施形態では、前面３ａ１には、弾性体１１と隣接しＤ１方向（第一方向）に開放された凹部３１ｒが設けられ、凹部３１ｒは、Ｄ１方向から見た場合にタッチパネル９と重なって位置される。
【００５４】
このような構成によれば、例えば、フロントカバー３１に凹部３１ｒが設けられた場合でも、当該凹部３１ｒがタッチパネル９によって隠れるため、外観が損なわれるのを抑制できる。また、例えば、凹部３１ｒによって弾性体１１とフロントカバー３１との二材成形（二色成形）時のバリ処理が不要になり製造歩留りが向上する。
【００５５】
また、本実施形態では、弾性体１１は、前面３ａ１から離れるにつれて端面９ｃから遠ざかるように傾斜した傾斜面１１ａを有し、傾斜面１１ａの一部は、Ｄ１方向から見た場合にタッチパネル９と重なって位置される。
【００５６】
このような構成によれば、例えば、傾斜面１１ａによって、弾性体１１とタッチパネル９との間の隙間１８が目立ち難くなり、ひいては電子機器１のＤ１方向からの意匠性が向上しやすい。また、例えば、傾斜面１１ａによって、タッチパネル９のフロントカバー３１への組付性が向上しうる。
【００５７】
［第１変形例］
図６は、第１変形例の電子機器１Ａの断面図である。電子機器１Ａは、上記実施形態の電子機器１と同様の構成を備えている。よって、電子機器１Ａは、当該同様の構成に基づく上記実施形態と同様の作用および効果を得ることができる。
【００５８】
ただし、本変形例では、図６に示されるように、弾性体１１Ａに突出部１１ｂが設けられている点が、上記実施形態と相違している。突出部１１ｂは、リヤカバー３２の側壁３ｄよりも端面９ｃとは反対側（Ｙ方向）に張り出している。リヤカバー３２は、第二カバーの一例である。
【００５９】
また、突出部１１ｂは、例えば、弾性体１１Ａの長手方向、すなわち端面９ｃに沿う方向の全幅に亘って設けられている。なお、突出部１１ｂは、この例には限定されず、例えば、弾性体１１Ａの長手方向に間欠的に設けられてもよい。
【００６０】
このように、本変形例によれば、弾性体１１Ａに突出部１１ｂが設けられているため、例えば、電子機器１Ａが側壁３ｄを下に落下した場合に、突出部１１ｂによって床面とリヤカバー３２（ディスプレイ筐体３）との接触を抑制し、ひいてはディスプレイ筐体３を保護することができる。
【００６１】
［第２変形例］
図７は、第２変形例の電子機器１Ｂの断面図である。電子機器１Ｂは、上記実施形態の電子機器１と同様の構成を備えている。よって、電子機器１Ｂは、当該同様の構成に基づく上記実施形態と同様の作用および効果を得ることができる。
【００６２】
ただし、本変形例では、図７に示されるように、弾性体１１Ｂに延部１１ｃが設けられている点が、上記実施形態と相違している。本変形例では、弾性体１１Ｂと凹部３１ｒ１とがＤ１方向に並んで位置されている。延部１１ｃは、凹部３１ｒ１の底面に近づく方向に延び、当該凹部３１ｒ１に収容されている。凹部３１ｒ１の立壁３１ａとは反対側の端部は、Ｄ１方向から見た場合にタッチパネル９と重なって位置されている。
【００６３】
このように、本変形例によれば、フロントカバー３１に延部１１ｃを収容可能な所定の幅を有した凹部３１ｒ１が設けられているため、例えば、凹部３１ｒ１の製造に要する手間が減りやすいという利点がある。
【００６４】
以上、本発明の実施形態および変形例が例示されたが、上記実施形態および変形例は一例であって、発明の範囲を限定することは意図していない。上記実施形態および変形例は、その他の様々な形態で実施されることが可能であり、発明の要旨を逸脱しない範囲で、種々の省略、置き換え、組み合わせ、変更を行うことができる。また、各構成や、形状、等のスペック（構造や、種類、方向、形式、大きさ、長さ、幅、厚さ、高さ、数、配置、位置、材質等）は、適宜に変更して実施することができる。
【符号の説明】
【００６５】
１，１Ａ，１Ｂ…電子機器、３…ディスプレイ筐体（筐体）、３ａ１…前面（第一面）、６…表示装置、６ｂ…周縁部（縁部）、９…タッチパネル（パネル）、９ａ…表面、９ｃ…端面（第一端面）、１０…表示ユニット、１１，１１Ａ，１１Ｂ…弾性体、１１ａ…傾斜面、１１ｂ…突出部、３１…フロントカバー（第一カバー）、３１ｂ…端面（第二端面）、３１ｒ，３１ｒ１…凹部、３２…リヤカバー（第二カバー）、Ｄ１…第一方向。
【図１】
2020115255.tif 000003
【図２】
2020115255.tif 000004
【図３】
2020115255.tif 000005
【図４】
2020115255.tif 000006
【図５】
2020115255.tif 000007
【図６】
2020115255.tif 000008
【図７】
2020115255.tif 000009
【手続補正書】
【提出日】令和1年8月23日(2019.8.23)
【手続補正１】
【補正対象書類名】特許請求の範囲
【補正対象項目名】全文
【補正方法】変更
【補正の内容】
【特許請求の範囲】
【請求項１】
表示装置と、
前記表示装置の縁部を覆う第一カバーを有した筐体と、
前記第一カバーの前記表示装置とは反対側の第一面に支持されるとともに前記表示装置を覆うパネルと、
前記第一面と接合され、前記パネルの表面と交差した第一端面と面するとともに当該第一端面に沿って延び、かつ前記表面よりも突出した弾性体と、
を備え、
前記第一面には、前記弾性体と隣接し当該第一面と交差した第一方向に開放された凹部が設けられ、
前記凹部は、前記第一方向から見た場合に前記パネルと重なって位置された、電子機器。
【請求項２】
前記弾性体は、前記第一カバーにおける前記第一面と交差した第二端面とさらに接合された、請求項１に記載の電子機器。
【請求項３】
前記筐体は、前記表示装置の前記パネルとは反対側を覆う第二カバーを有し、
前記弾性体は、前記第二カバーよりも前記第一端面とは反対側に張り出す突出部を有した、請求項１または２に記載の電子機器。
【請求項４】
表示装置と、
前記表示装置の縁部を覆う第一カバーを有した筐体と、
前記第一カバーの前記表示装置とは反対側の第一面に支持されるとともに前記表示装置を覆うパネルと、
前記第一面と接合され、前記パネルの表面と交差した第一端面と面するとともに当該第一端面に沿って延び、かつ前記表面よりも突出した弾性体と、
を備え、
前記弾性体は、前記第一面から離れるにつれて前記第一端面から遠ざかるように傾斜した傾斜面を有し、
前記傾斜面の一部は、前記第一面と交差した第一方向から見た場合に前記パネルと重なって位置された、電子機器。
【請求項５】
前記弾性体は、前記第一カバーにおける前記第一面と交差した第二端面とさらに接合された、請求項４に記載の電子機器。
【請求項６】
前記筐体は、前記表示装置の前記パネルとは反対側を覆う第二カバーを有し、
前記弾性体は、前記第二カバーよりも前記第一端面とは反対側に張り出す突出部を有した、請求項４または５に記載の電子機器。